(57)【要約】【課題】躯体の開口部に枠体を固定するためのコストを抑える。【解決手段】躯体１０の開口部１１に枠体２０を固定する枠体固定構造であって、躯体１０に設けられる躯体アンカー部材４０と、枠体２０に設けられる枠体アンカー部材３０と、躯体アンカー部材４０及び枠体アンカー部材３０を連結する連結部材とを備え、躯体アンカー部材４０は、プレート状を成し、枠体２０に対向する面に貫通孔部４１によって凹凸が設けられ、かつ枠体アンカー部材３０は、枠体２０から躯体アンカー部材４０に向けて延在する支持延在部３２を有したものであり、連結部材は、筒状を成し、支持延在部３２の周囲を覆うとともに、躯体アンカー部材４０の表面に開口した状態で配設される型部材５０と、型部材５０の内部に注入されて躯体アンカー部材４０及び枠体アンカー部材３０の間を連結する連結材６０とを備えている。【選択図】図１
2020133189.tif 000002
【特許請求の範囲】
【請求項１】
躯体の開口部に枠体を固定する枠体固定構造であって、
前記躯体に設けられる第１固定部材と、前記枠体に設けられる第２固定部材と、これら第１固定部材及び第２固定部材を連結する連結部材とを備え、
前記第１固定部材は、プレート状を成し、少なくとも前記枠体に対向する面に凹凸が設けられ、かつ前記第２固定部材は、前記枠体から前記第１固定部材に向けて延在する延在部を有したものであり、
前記連結部材は、筒状を成し、前記延在部の周囲を覆うとともに、前記第１固定部材の表面に開口した状態で配設される型部材と、前記型部材の内部に注入されて前記第１固定部材及び前記第２固定部材の間を連結する連結材とを備えたことを特徴とする枠体固定構造。
【請求項２】
前記第１固定部材には、一方の表面から他方の表面にわたって貫通する複数の貫通孔部が設けられていることを特徴とする請求項１に記載の枠体固定構造。
【請求項３】
前記第１固定部材は、補強材を介して前記躯体に設けられていることを特徴とする請求項１に記載の枠体固定構造。
【請求項４】
躯体の開口部に枠体を固定する枠体固定方法であって、
プレート状を成し、少なくとも前記枠体に対向する面に凹凸が設けられた第１固定部材を前記躯体に設ける工程と、
前記第１固定部材を設けた躯体の開口部に前記枠体を建て込む工程と、
前記枠体に第２固定部材を設ける工程と、
前記躯体の開口部において前記第２固定部材から前記第１固定部材に向けて延在する延在部の周囲を覆うとともに、前記第１固定部材の表面に開口するように筒状を成す型部材を配置する工程と、
前記型部材の内部に、前記第１固定部材及び前記第２固定部材の間を連結する連結材を注入してこれを硬化させる工程と
を含むことを特徴とする枠体固定方法。
【請求項５】
請求項１〜請求項３のいずれかに記載の枠体固定構造により躯体の開口部に固定された枠体を備えることを特徴とする建具。
【発明の詳細な説明】
【技術分野】
【０００１】
本発明は、枠体固定構造、枠体固定方法及び建具に関するものである。
【背景技術】
【０００２】
ＲＣ（鉄筋コンクリート）造等の躯体に建具用の枠体を固定する構造として、本件出願人は、先に特許文献１に記載のものを提案した。すなわち、躯体に躯体アンカー部材を設ける一方、枠体に枠体アンカー部材を設け、これら躯体アンカー部材及び枠体アンカー部材の周囲を型部材によって覆った後、型部材の内部に硬化性樹脂材料から成る連結材を注入して硬化させることにより、躯体アンカー部材及び枠体アンカー部材を連結するようにしたものである。
【０００３】
この従来技術によれば、現場での溶接作業を行わないため、溶接電源設備等の機材が不要となるばかりでなく、溶接の際の熱や火花から建物の内外装を保護するための養生が不要になる等、施工作業性や作業コストの点で有利となる。しかも、型部材の内部に連結材を注入するようにしているため、煩雑な作業を要することなく連結材の注入量を枠体の全周で均一化することが可能となる。
【先行技術文献】
【特許文献】
【０００４】
【特許文献１】特開２０１１−１７９２３５号公報
【発明の概要】
【発明が解決しようとする課題】
【０００５】
ところで、上述の構造を適用する場合には、躯体に躯体アンカー部材としてピンを打ち込む必要がある。躯体が均質に構成されている場合には、所望の位置に正確にピンを配設することは可能である。しかしながら、ピンを配設する位置に骨材が存在していた場合には、ピンの位置を変更する必要がある。位置を変更したピンを枠体アンカー部材との間をも連結可能とするには、適用する型部材として寸法の大きなものを用意しなければならない。このため、型部材そのもののコストが増大するばかりでなく、連結材の注入量も増大することになり、枠体を固定するためのトータルコストに大きな影響を及ぼすおそれがある。なお、躯体に対して正確な位置にピンを打ち込むには、墨出し等の準備作業が必要である。従って、骨材の無いＲＣ以外の躯体に対して枠体を固定する場合にも、コストの低減を図ることが好ましい。
【０００６】
本発明は、上記実情に鑑みて、躯体の開口部に枠体を固定するためのコストを抑えることのできる枠体固定構造、枠体固定方法及び建具を提供することを目的とする。
【課題を解決するための手段】
【０００７】
上記目的を達成するため、本発明に係る枠体固定構造は、躯体の開口部に枠体を固定する枠体固定構造であって、前記躯体に設けられる第１固定部材と、前記枠体に設けられる第２固定部材と、これら第１固定部材及び第２固定部材を連結する連結部材とを備え、前記第１固定部材は、プレート状を成し、少なくとも前記枠体に対向する面に凹凸が設けられ、かつ前記第２固定部材は、前記枠体から前記第１固定部材に向けて延在する延在部を有したものであり、前記連結部材は、筒状を成し、前記延在部の周囲を覆うとともに、前記第１固定部材の表面に開口した状態で配設される型部材と、前記型部材の内部に注入されて前記第１固定部材及び前記第２固定部材の間を連結する連結材とを備えたことを特徴とする。
【０００８】
また本発明に係る枠体固定方法は、躯体の開口部に枠体を固定する枠体固定方法であって、プレート状を成し、少なくとも前記枠体に対向する面に凹凸が設けられた第１固定部材を前記躯体に設ける工程と、前記第１固定部材を設けた躯体の開口部に前記枠体を建て込む工程と、前記枠体に第２固定部材を設ける工程と、前記躯体の開口部において前記第２固定部材から前記第１固定部材に向けて延在する延在部の周囲を覆うとともに、前記第１固定部材の表面に開口するように筒状を成す型部材を配置する工程と、前記型部材の内部に、前記第１固定部材及び前記第２固定部材の間を連結する連結材を注入してこれを硬化させる工程とを含むことを特徴とする。
【０００９】
また本発明に係る建具は、上述した枠体固定構造によって躯体の開口部に固定された枠体を備えることを特徴とする。
【発明の効果】
【００１０】
本発明によれば、第１固定部材がプレート状を成し、かつ枠体に対向する面に凹凸が設けられているため、第１固定部材の範囲において型部材の相対位置を変更しても連結材の注入後において第１固定部材と型部材との間を連結することが可能である。従って躯体に骨材が存在していた場合には、これを避ける位置に第１固定部材を配設しても、型部材として寸法の大きなものを用意することなく第１固定部材と第２固定部材との間を確実に連結することが可能となり、コストが増大する事態を招来するおそれがない。また、第１固定部材がプレート状を成しているため、ピンのように打ち込む位置を正確に規定する必要もなく、墨出し等の準備作業が不要になる点からもコストの低減や品質の安定化を図ることが可能となる。
【図面の簡単な説明】
【００１１】
【図１】本発明の実施の形態１である枠体固定構造を適用した建具を躯体の開口部に仮固定した状態を示す要部断面平面図である。
【図２】図１に示した建具の仮固定状態を示す概念図である。
【図３】図１に示した建具を仮固定する際に適用する第１固定部材、第２固定部材及び型部材を示す分解斜視図である。
【図４−１】図１に示した躯体に第１固定部材を設けた状態の要部拡大図である。
【図４−２】図１に示した躯体の開口部に第２固定部材を設けた枠体を建て込んだ状態の要部拡大図である。
【図４−３】図１に示した躯体の開口部に枠体を建て込んだ後、第１固定部材に型部材を当接させた状態の要部拡大図である。
【図５】図１に示した躯体に骨材が存在した場合の第１固定部材を設ける例を示したもので、（ａ）は第１固定部材の位置を変更する例の概念図、（ｂ）は第１固定部材に打ち込むピンの位置を変更する例の概念図である。
【図６】本発明の実施の形態２である枠体固定構造を適用した建具を躯体の開口部に仮固定した状態を示す要部断面平面図である。
【発明を実施するための形態】
【００１２】
以下、添付図面を参照しながら本発明に係る枠体固定構造、枠体固定方法及び建具の好適な実施の形態について詳細に説明する。
図１は、本発明の実施の形態１である枠体固定構造を適用した建具の要部を示したものである。ここで例示する枠体固定構造は、ＲＣ（鉄筋コンクリート）造建築物の躯体１０に形成した開口部１１に枠体２０を固定する場合において、図２に示すように、躯体１０と枠体２０との間をモルタル等の充填材によって完全に固定する前に、躯体１０に対して枠体２０を仮固定するためのものである。枠体２０は、上枠２１、下枠２２、左右の縦枠２３，２４を四周枠組みすることによって構成した矩形状を成すものである。躯体１０の開口部１１は、枠体２０を収容するに十分な大きさの矩形状に形成してある。この躯体１０の開口部１１に対して枠体２０は、枠体アンカー部材（第２固定部材）３０、躯体アンカー部材（第１固定部材）４０、型部材５０、連結材６０を備えた複数の固定構造ユニット１によって固定してある。
【００１３】
枠体アンカー部材３０は、図２及び図３に示すように、略矩形のプレート状を成す基板部３１と、基板部３１の一方の表面から面外方向に向けて延在した支持延在部（延在部）３２とを有したもので、例えば鉄等の金属によって構成してある。基板部３１には、短辺側縁部の中央部にそれぞれ係合片３３が設けてある。係合片３３は、基板部３１の他方の表面から突出した後に互いに離隔する方向に向けて延在したもので、基板部３１との間に枠体２０の突片２０ａを挟持することによって枠体アンカー部材３０を枠体２０に連結することが可能である。枠体２０の突片２０ａは、枠２１，２２，２３，２４の見付け面２０ｂから外周方向に向けて延在した後、互いに近接する方向に屈曲した部分であり、個々の枠２１，２２，２３，２４の長手に沿った全長に形成してある。支持延在部３２は、周面に凹凸を有したロッド状を成すもので、基板部３１のほぼ中心となる部分に設けてある。本実施の形態１では、外周面にネジ溝が設けられた支持延在部３２を適用している。支持延在部３２の凹凸は、後述する連結材６０との連結力を高めるためのもので、当該連結材６０が進入し得る大きさに構成されていれば良い。
【００１４】
上述の枠体アンカー部材３０は、係合片３３を介して枠２１，２２，２３，２４の外周部に取り付けられており、個々の支持延在部３２が枠体２０の外周に向けて突出した状態にある。図１からも明らかなように、支持延在部３２の延在長さは、躯体１０の開口部１１に対して枠体２０を建て込んだ際に個々の先端部と開口部１１の内表面１１ａとの間に互いにほぼ均等となる所望の隙間を確保できるように設定してある。
【００１５】
躯体アンカー部材４０は、図３に示すように、矩形のプレート状を成すもので、例えば鉄等の金属によって構成してある。躯体アンカー部材４０の表面には、多数の貫通孔部４１を設けることによって凹凸が構成してある。貫通孔部４１は、躯体アンカー部材４０の板厚方向に沿って形成した断面円形の小径のものである。本実施の形態１では、躯体アンカー部材４０の表面においてそのほぼ全面にわたる部分に、同一内径の貫通孔部４１がほぼ均等分布となるように設けてある。この躯体アンカー部材４０は、短い方の辺の長さが、後述する型部材５０の外径寸法よりも大きくなるように構成してある。
【００１６】
なお、躯体アンカー部材４０に凹凸を構成する貫通孔部４１は、必ずしも互いに同一の内径を有したものである必要はなく、均等分布となるように設けられている必要もない。また、凹凸を構成することができれば必ずしも貫通孔部４１を設ける必要はなく、躯体アンカー部材４０において枠体２０に対向する表面に多数の凹部を形成したり、多数の突起を設けることによって凹凸を構成することも可能である。さらに、躯体アンカー部材４０は、必ずしもそれぞれの固定構造ユニット１で個別に用意する必要はなく、例えば開口部１１の内表面１１ａ全長にわたる長さを有したものを適用することで、複数の固定構造ユニット１で共用するようにしても良い。
【００１７】
型部材５０は、横断面が円形の筒状を成す基部５１と、基部５１の一端を閉塞する底壁部５２とを有したものである。基部５１の他端は、開口した状態にある。本実施の形態１では、半透明、もしくは透明の合成樹脂によって基部５１及び底壁部５２を一体に成形した型部材５０を適用している。基部５１は、枠体アンカー部材３０における支持延在部３２の外径よりも大きな内径を有し、かつ底壁部５２を有した一方の端部から他方の端部に向けて漸次径が大きくなる円錐台状のものであり、最大外径が躯体アンカー部材４０の短辺寸法よりも小さく構成してある。基部５１の軸方向に沿った寸法は、枠体アンカー部材３０の支持延在部３２と開口部１１の内表面１１ａとの間に確保した隙間よりも大きくなるように設定してある。なお、型部材５０としては、一端から他端にわたって外径が一定の基部５１を有したものを適用しても構わない。また、型部材５０は、必ずしも断面が円形である必要はなく、断面が多角形の筒状を成すものを適用しても良い。断面が円形の型部材５０を適用した場合には、後述する連結材６０を容易に、かつ隙間無く充填することが可能となり、充填効率を高める上で有利となる。
【００１８】
この型部材５０には、底壁部５２に嵌合孔５２ａが一つ設けてあり、基部５１の周面に注入孔５１ａが一つ設けてある。嵌合孔５２ａは、枠体アンカー部材３０の支持延在部３２に嵌合することのできる寸法を有した円形の貫通孔である。注入孔５１ａは、後述する連結材６０を基部５１の内部に注入するためのものであり、基部５１を貫通するように形成してある。
【００１９】
上記の構成を有する型部材５０は、図１に示すように、嵌合孔５２ａに枠体アンカー部材３０の支持延在部３２を挿通させることによって支持延在部３２に装着された状態となり、基部５１が支持延在部３２の周囲を覆い、かつ躯体１０の開口部１１に向けて開口する状態で配置される。上述したように、型部材５０は、支持延在部３２に対してその延在方向に沿って移動することができる。従って、枠体２０を建て込む際には、支持延在部３２において基板部３１に近接した位置に配置し、枠体２０の建て込みが終了した状態で基板部３１から離隔させることにより、基部５１の開口した端面を躯体アンカー部材４０の表面に当接させることが可能である。
【００２０】
連結材６０は、型部材５０の内部に注入されることにより、型部材５０の内部において枠体アンカー部材３０の支持延在部３２と躯体アンカー部材４０とを連結した状態に維持するものである。この連結材６０としては、経時硬化性もしくは熱硬化性、あるいは熱可塑性を有した合成樹脂を材料とするものを適用することができる。より具体的に説明すると、連結材６０は、非硬化状態にある場合、躯体アンカー部材４０の貫通孔部４１及び型部材５０の内部に流入することのできる流動性を有するとともに、型部材５０の内部に注入した際に型部材５０の内部に留まるだけの粘度を有するものであることが好ましく、硬化した後に、枠体アンカー部材３０の支持延在部３２と躯体アンカー部材４０との間を連結した状態に維持するための強度を発現するものであれば良い。
【００２１】
以下、上述の枠体固定構造を適用して躯体１０の開口部１１に枠体２０を仮固定する際の手順について図４−１、図４−２、図４−３を適宜参照しながら説明を行う。
【００２２】
この枠体固定構造では、図４−１に示すように、まず開口部１１の内表面１１ａにおいて所望となる複数の位置にそれぞれ躯体アンカー部材４０を固定する。躯体アンカー部材４０を固定する方法としては、例えば、躯体アンカー部材４０を所定の位置に配置した後、多数設けてある貫通孔部４１の一つを介して躯体１０にピン４２を打ち込めば良い。躯体アンカー部材４０を設ける所望の位置とは、枠体アンカー部材３０及び型部材５０を取り付けた枠体２０を開口部１１に建て込んだ場合に、型部材５０の基部５１に対向する領域である。例えば、枠体２０の下枠２２に３つの枠体アンカー部材３０を等間隔となるように取り付ける場合には、躯体１０の開口部１１において下枠２２に対向する内表面１１ａに等間隔となるように躯体アンカー部材４０を３つ設ければ良い。
【００２３】
次いで、躯体１０の開口部１１に枠体２０を建て込む。開口部１１に建て込む枠体２０は、上枠２１、下枠２２、左右の縦枠２３，２４を予め四周枠組みした状態とし、さらに、外周部に枠体アンカー部材３０が取り付けられた状態である。枠体２０に取り付けた枠体アンカー部材３０には、底壁部５２が基板部３１に対向する状態で予め支持延在部３２に型部材５０を装着しておく。このとき、図４−２に示すように、枠体２０を建て込む際に型部材５０と躯体１０とが干渉しないように型部材５０を基板部３１に近接した状態に配置しておく。また、型部材５０の注入孔５１ａが室内側に配置されるように予めその向きを調整しておくことが好ましい。ただし、開口部１１の内表面１１ａと枠体２０との隙間が狭小で枠体２０の建込作業性が悪い場合には、枠体２０を建込んだ後に枠体アンカー部材３０を取り付けるようにしても良い。
【００２４】
次いで、図４−３に示すように、型部材５０をそれぞれ支持延在部３２に対してスライドさせることによって基部５１の開口端面を躯体アンカー部材４０の表面に当接させ、基部５１の開口が躯体アンカー部材４０によって覆われた状態で、それぞれの型部材５０に対して注入孔５１ａから非硬化状態の連結材６０を注入する。このとき、型部材５０が半透明、もしくは透明であるため、型部材５０に対する連結材６０の注入状態を外部から容易に視認することができる。従って、型部材５０に対して連結材６０を過不足なく注入することが可能となり、型部材５０に注入される連結材６０の注入量を複数の箇所で容易に均一化することができる。連結材６０の注入は、型部材５０の内部が満たされるばかりでなく、躯体アンカー部材４０に設けた貫通孔部４１の内部が満たされるまで行うことが好ましい。
【００２５】
上述した状態で連結材６０を硬化させれば、連結材６０に所定の強度が発現することになり、躯体アンカー部材４０と枠体アンカー部材３０の支持延在部３２とを連結した状態に維持することができる。つまり、硬化した連結材６０によって互いに連結された躯体アンカー部材４０と枠体アンカー部材３０の支持延在部３２とを介して枠体２０を躯体１０の開口部１１に固定することができるようになる。
【００２６】
ここで、図５に示すように、躯体１０を構成するＲＣ造においては、内部に骨材ＡＧが混ぜられているため、躯体アンカー部材４０のピン４２を打つ位置に骨材ＡＧが存在している場合があり得る。
【００２７】
しかしながら、この枠体固定構造によれば、躯体アンカー部材４０として型部材５０の内径よりも大きな寸法のプレート状を成し、かつ表面に凹凸が設けられたものを適用している。このため、図５（ａ）において中央部分に示すように、型部材５０の開口に対向する範囲において骨材ＡＧを避けるように躯体アンカー部材４０の位置を変更したとしても（図示においては上方に変更）、連結材６０の注入、硬化後においては、変更以前の状態と変わりなく躯体アンカー部材４０と枠体アンカー部材３０の支持延在部３２とを連結した状態に維持することができる。これにより、型部材５０としては、躯体アンカー部材４０の位置変更に伴って寸法の大きなものを適用する必要がなく、コストが増大する事態を招来するおそれがない。また、上述のように、躯体アンカー部材４０を設ける位置としては、型部材５０に対向しさえすれば良いため、躯体１０に対して墨出し等の準備作業を不要とすることも可能である。これにより、更なるコスト低減を図ることもできるばかりでなく、墨出し作業者の技量による品質のバラ付きが生じるおそれがなくなる等の作用効果を奏する。
【００２８】
因に、本実施の形態１では、躯体アンカー部材４０として貫通孔部４１を有したものを適用し、貫通孔部４１を介してピン４２を打ち込むようにしている。このピン４２は、躯体アンカー部材４０を躯体１０に取り付けるためのものであり、躯体アンカー部材４０と枠体アンカー部材３０との連結に直接関与するものではない。従って、本来ピン４２を打つ位置に骨材ＡＧが存在していた場合には、図５（ｂ）において中央部分に示すように、ピン４２を打ち込む貫通孔部４１を変更することで、対応することが可能である。この場合には、型部材５０の大きさ変更が不要となるばかりでなく、躯体アンカー部材４０の位置を変更する必要がないため、躯体アンカー部材４０を取り付ける作業を容易化できる効果も奏する。
【００２９】
躯体１０の開口部１１に枠体２０を仮固定した後においては、躯体１０の開口部１１と枠体２０との間に適宜バックアップ材（図示せず）を設置した状態でモルタル等の充填材を充填すれば、躯体１０の開口部１１に枠体２０を本固定することができる。
【００３０】
なお、上述した実施の形態１では、ＲＣ造建築物の躯体１０に枠体２０を固定するようにしているが、図６に示す実施の形態２ように、ＡＬＣ（Ａｕｔｏｃｌａｖｅｄ  Ｌｉｇｈｔｗｅｉｇｈｔ  ａｅｒａｔｅｄ  Ｃｏｎｃｒｅｔｅ）造建築物の躯体１１０に枠体２０を固定する場合にも同様に適用することが可能である。ＡＬＣの躯体１０には、開口部１１に予め開口補強材と称される鉄等の金属によって成形された補強材１１１が取り付けられている。従って、躯体アンカー部材４０としては、この補強材１１１の表面に取り付けられることになる。図６に示す実施の形態２おいて実施の形態１と同様の構成については同一の符号が付してある。
【００３１】
また、上述した実施の形態１及び実施の形態２では、ピン４２を打ち込むことによって躯体アンカー部材４０を取り付けるようにしているが、本発明は必ずしもこれに限定されず、例えば接着剤等の接着手段によって躯体１０に躯体アンカー部材４０を取り付けるようにしても良い。
【００３２】
以上のように、本発明に係る枠体固定構造は、躯体の開口部に枠体を固定する枠体固定構造であって、前記躯体の開口部に設けられる第１固定部材と、前記枠体に設けられる第２固定部材と、これら第１固定部材及び第２固定部材を連結する連結部材とを備え、前記第１固定部材は、プレート状を成し、少なくとも前記枠体に対向する面に凹凸が設けられ、かつ前記第２固定部材は、前記枠体から前記第１固定部材に向けて延在する延在部を有したものであり、前記連結部材は、筒状を成し、前記延在部の周囲を覆うとともに、前記第１固定部材の表面に開口した状態で配設される型部材と、前記型部材の内部に注入されて前記第１固定部材及び前記第２固定部材の間を連結する連結材とを備えたことを特徴としている。
【００３３】
この発明によれば、第１固定部材がプレート状を成し、かつ枠体に対向する面に凹凸が設けられているため、第１固定部材の範囲において型部材の相対位置を変更しても連結材の注入後において第１固定部材と型部材との間を連結することが可能である。従って躯体に骨材が存在していた場合には、これを避ける位置に第１固定部材を配設しても、型部材として寸法の大きなものを用意することなく第１固定部材と第２固定部材との間を確実に連結することが可能となり、コストが増大する事態を招来するおそれがない。また、第１固定部材がプレート状を成しているため、ピンのように打ち込む位置を正確に規定する必要もなく、墨出し等の準備作業が不要になる点からもコストの低減や品質の安定化を図ることが可能となる。
【００３４】
また本発明は、上述した枠体固定構造において、前記第１固定部材には、一方の表面から他方の表面にわたって貫通する複数の貫通孔部が設けられていることを特徴としている。
【００３５】
この発明によれば、貫通孔部の一つを利用してピンを打ち込むことにより第１固定部材を躯体の開口部に取り付けることが可能となる。この場合、骨材の位置を避けた位置の貫通孔部を選択することで第１固定部材の位置を変更することなくピンを確実に打ち込むことが可能となる。
【００３６】
また本発明は、上述した枠体固定構造において、前記第１固定部材は、補強材を介して前記躯体の開口部に設けられていることを特徴としている。
【００３７】
この発明によれば、ＡＬＣ等のＲＣ以外の躯体に対しても第１固定部材を確実に取り付けることが可能となる。
【００３８】
また本発明に係る枠体固定方法は、躯体の開口部に枠体を固定する枠体固定方法であって、プレート状を成し、少なくとも前記枠体に対向する面に凹凸が設けられた第１固定部材を前記躯体の開口部に設ける工程と、前記第１固定部材を設けた躯体の開口部に前記枠体を建て込む工程と、前記枠体に第２固定部材を設ける工程と、前記躯体の開口部において前記第２固定部材から前記第１固定部材に向けて延在する延在部の周囲を覆うとともに、前記第１固定部材の表面に開口するように筒状を成す型部材を配置する工程と、前記型部材の内部に、前記第１固定部材及び前記第２固定部材の間を連結する連結材を注入してこれを硬化させる工程とを含むことを特徴としている。
【００３９】
この発明によれば、第１固定部材としてプレート状を成し、かつ枠体に対向する面に凹凸が設けられたものを適用しているため、第１固定部材の範囲において型部材の相対位置を変更しても連結材の注入後において第１固定部材と型部材との間を連結することが可能である。従って躯体に骨材が存在していた場合には、これを避ける位置に第１固定部材を配設しても、型部材として寸法の大きなものを用意することなく第１固定部材と第２固定部材との間を確実に連結することが可能となり、コストが増大する事態を招来するおそれがない。また、第１固定部材がプレート状を成しているため、ピンのように打ち込む位置を正確に規定する必要もなく、墨出し等の準備作業が不要になる点からもコストの低減や品質の安定化を図ることが可能となる。さらに、第１固定部材がプレート状を成しているため、枠体を躯体の開口部に建て込む際に干渉するおそれがなくなり、作業性の向上を図ることが可能となる。
【００４０】
また本発明に係る建具は、上述した枠体固定構造によって躯体の開口部に固定された枠体を備えることを特徴としている。
【００４１】
この発明によれば、第１固定部材がプレート状を成し、かつ枠体に対向する面に凹凸が設けられているため、第１固定部材の範囲において型部材の相対位置を変更しても連結材の注入後において第１固定部材と型部材との間を連結することが可能である。従って躯体に骨材が存在していた場合には、これを避ける位置に第１固定部材を配設しても、型部材として寸法の大きなものを用意することなく第１固定部材と第２固定部材との間を確実に連結することが可能となり、コストが増大する事態を招来するおそれがない。また、第１固定部材がプレート状を成しているため、ピンのように打ち込む位置を正確に規定する必要もなく、墨出し等の準備作業が不要になる点からもコストの低減を図ることが可能となる。
【符号の説明】
【００４２】
１０  躯体、１１  開口部、２０  枠体、３０  枠体アンカー部材、３２  支持延在部、４０  躯体アンカー部材、４１  貫通孔部、５０  型部材、６０  連結材、１１０  躯体、１１１  補強材
【図１】
2020133189.tif 000003
【図２】
2020133189.tif 000004
【図３】
2020133189.tif 000005
【図４−１】
2020133189.tif 000006
【図４−２】
2020133189.tif 000007
【図４−３】
2020133189.tif 000008
【図５】
2020133189.tif 000009
【図６】
2020133189.tif 000010